(57)【要約】【課題】取付け物の着脱が簡単且つ容易に行えると共に、安定した姿勢に保持することができる止め具を提供する。【解決手段】止め具１の取付け部１４をズボンのベルトＢに装着した後、携帯電話Ａに取付けられた係止体２のネジ軸２ｂを、止め具本体３の係止部４に差し込むと共に、一対の突起５をネジ軸２ｂに係止して抜け止めし、携帯電話Ａを安定した状態に保持する。一方、止め具１に保持された携帯電話Ａと、一対のレバー９とを略同時に把持して、一対の突起５を、レバー９によりネジ軸２ｂに対する係止が解除される位置に変位した後、携帯電話Ａを抜き取り方向に移動させながら、係止体２のネジ軸２ｂを、止め具本体３の係止部４から抜き取り、携帯電話Ａを止め具１から分離する。【選択図】　図１
2004024278.tif 000002
【特許請求の範囲】
【請求項１】
一方の取付け物側に設けた係止体が係止される係止部を、他方の取付け物側に取付けられる止め具本体に設け、
上記係止体に対して係止される突起を、該係止部に差し込まれる係止体と対向して止め具本体に設け、
上記係止体に係止された突起を、該係止体に対する係止が解除される状態に変位する係止解除手段を止め具本体に設けると共に、
上記係止解除手段を、上記一方の取付け物を把持する手で操作可能に設けた
止め具。
【請求項２】
上記突起を、上記係止体の差し込み方向と略平行して複数設け、
上記係止解除手段を、上記各突起と略対応して複数設けた
請求項１記載の止め具。
【請求項３】
上記係止体を、上記取付け物の対向縁部に対して係止される一対の支持片と、該一対の支持片を取付け物の対向縁部に対して係止される間隔に拡縮調節する間隔調節手段とで構成した
請求項１記載の止め具。
【請求項４】
上記止め具本体の裏面側に、上記他方の取付け物外面に対して一側から装着される取付け部を設け、
上記取付け物の他側に突出される取付け部の対向面に、該対向面を互いに固定する固定部材を設けた
請求項１記載の止め具。
【発明の詳細な説明】
【０００１】
【発明の属する技術分野】
この発明は、例えば携帯電話やモバイルコンピュータなどの情報携帯端末、ＣＤやＭＤのプレーヤー、テープレコーダ、通信機器、工具等の取付け物を保持したり、或いは、ベルトや紐等の帯状物を所望する長さに調節するのに用いられる止め具に関する。
【０００２】
【従来の技術】
従来、上述の止め具としては、例えばケースの開口部を閉塞する蓋を開放して、携帯電話をケースに収納した後、背面と蓋との対向面を係止部で固定すると共に、表面と背面とを、両側面の復元力により携帯電話の表裏両面に押し付け、底面と蓋とを、両側面の復元力により携帯電話の上下端部に押し付けて、携帯電話をケースに収納された状態に保持する携帯用ケース（特開平９−２７６０２２号公報）と、
ケース１の挿入口を閉塞する蓋を開放して、携帯電話をケースに収納した後、蓋の遊端側に取付けた掛け具を、ケース表面に取付けた留め具に係止して、携帯電話をケースに収納された状態に保持する携帯電話ホルダー（実用新案登録第３０３２３２０号公報）とがある。
【０００３】
【発明が解決しようとする課題】
しかし、前者の携帯用ケースは、係止部による係止を解除して、蓋を開放した後、携帯電話をケースに対して出し入れしなれければならず、蓋を開閉する作業が煩わしく、携帯電話を出し入れするのに手間及び時間が掛かる。且つ、蓋を閉塞しなければ、携帯電話を長さ方向に対して保持するのに必要な両側面の復元力が得られない。また、携帯電話のアンテナが挿通されるアンテナ孔を、蓋の特定部分に１箇所開口しているので、携帯電話を上下逆向き又は表裏逆向きにしてケースに収納した場合、携帯電話のアンテナと、蓋のアンテナ穴とが一致せず、ケースの開口部を蓋で閉塞することができない。且つ、蓋を両側面の復元力に抗して閉塞すると、携帯電話がケースに対して斜め横向きに収納されてしまい、キー操作が困難となるため、特定機種の携帯電話のみに用途が限定される。
【０００４】
一方、後者の携帯電話ホルダーは、掛け具と留め具との係止を解除して、蓋を開放した後、携帯電話をケースに対して出し入れしなければならず、蓋を開閉する作業が煩わしく、携帯電話を出し入れするのに手間及び時間が掛かる。また、ケース全長よりも携帯電話が短いと、携帯電話全体がケースに没入してしまい、携帯電話が長いと、ケースの挿入口から突出するため、挿入口を蓋で閉塞することが不可である。
【０００５】
この発明は上記問題に鑑み、係止解除手段を、取付け物を把持する手で解除操作しながら、該取付け物を係止体が係止部から抜き取られる方向に移動させて分離するので、取付け物の着脱が簡単且つ容易に行えると共に、安定した姿勢に保持することができる止め具の提供を目的とする。
【０００６】
【課題を解決するための手段】
この発明は、一方の取付け物側に設けた係止体が係止される係止部を、他方の取付け物側に取付けられる止め具本体に設け、上記係止体に対して係止される突起を、該係止部に差し込まれる係止体と対向して止め具本体に設け、上記係止体に係止された突起を、該係止体に対する係止が解除される状態に変位する係止解除手段を止め具本体に設けると共に、上記係止解除手段を、上記一方の取付け物を把持する手で操作可能に設けた止め具であることを特徴とする。
【０００７】
上述の取付け物は、例えば携帯電話やモバイルコンピュータなどの情報携帯端末、ＣＤ用やＭＤ用のプレーヤー、テープレコーダ、通信機器、工具等の物品と、ズボンやスカートのベルト（又はバンド）、ベルト挿通部、サスペンダー、鞄やリュックのベルト、紐等の帯状物とで構成することができる。また、係止解除手段は、例えばレバー及びカム、当接部、軸部、ガイド孔等で構成することができる。
【０００８】
つまり、取付け物側の係止体を止め具本体の係止部に差し込み、突起を係止体に係止して抜け止めし、取付け物を安定した姿勢に保持する。一方、係止解除手段（例えばレバー及びカム、当接部等）を、取付け物を把持する手で解除操作し、突起を係止体に対する係止が解除される状態に変位させながら、手で把持した取付け物を分離方向に移動させて、係止体を係止部から抜き取り、取付け物を止め具本体から分離する。
【０００９】
実施の形態として、上記突起を、上記係止体の差し込み方向と略平行して複数設け、上記係止解除手段を、上記各突起と略対応して複数設けることができる。また、上記係止体を、上記取付け物の対向縁部に対して係止される一対の支持片と、該一対の支持片を取付け物の対向縁部に対して係止される間隔に拡縮調節する間隔調節手段（例えばネジ軸の回動操作や弾性体の復元力等）とで構成することができる。また、上記止め具本体の裏面側に、上記他方の取付け物外面に対して一側から装着される取付け部を設け、上記取付け物の他側に突出される取付け部の対向面に、該対向面を互いに固定する固定部材（例えばホック方の止め部材、面ファスナー、マグネット、両面粘着テープ等）を設けることができる。或いは、取付け部を、他方の取付け物（例えばベルト）の表面側に対して掛け渡した状態に係止される止め部材と、その止め部材に対して枢着され、取付け物の裏面側に対して掛け渡した状態に係止される係止ピンとで構成することもできる。
【００１０】
【作用及び効果】
この発明によれば、一方の取付け物側に設けた係止体を、他方の取付け部側に取付けた止め具本体の係止部に差し込み、止め具本体の突起を係止体に係止して抜け止めするので、取付け物をワンタッチで確実に保持することができる。且つ、係止解除手段を、一方の取付け物を把持する手で解除操作しながら、その取付け物を係止体が係止部から抜き取られる方向に移動させて分離するので、取付け物の着脱が簡単且つ容易に行え、必要時に即取外して使用することができる。
【００１１】
【実施例】
この発明の一実施例を以下図面に基づいて詳述する。
図面は、取付け物の一例である携帯電話を保持するときに用いられる止め具を示し、図１乃至図３において、この止め具１は、携帯電話Ａに装着される係止体２と、利用者が装着するズボン（図示省略）のベルトＢに対して装着される止め具本体３とで構成される。
【００１２】
上述の係止体２は、図４にも示すように、携帯電話Ａの両側縁部に対して幅方向に係止される一対の係止片２ａと、その係止片２ａ，２ａの間隔を、携帯電話Ａの横幅と略対応する間隔に拡縮調節するネジ軸２ｂとで構成される。つまり、ネジ軸２ｂを、回動操作具（図示省略）により正逆回動して、一対の係止片２ａを、携帯電話Ａの両側縁部に対して押し付けられる間隔に近接して幅方向に挟持し、そのネジ軸２ｂと携帯電話Ａとの対向面間に、後述する係止部４の差し込み及び抜き取りが許容される空間を形成する。且つ、保持片２ａの保持面に、例えば合成ゴムや軟質樹脂等の柔軟性を有する滑り止め部材を装着している。
【００１３】
また、一対の係止片２ａを、例えば合成ゴムやスプリング等の復元力を有する弾性体により、携帯電話Ａの両側縁部に対して押し付けられる方向に付勢してもよい。加えて、上述の係止体２と略酷似する係止凸部又は係止凹部を、携帯電話Ａの裏面側に対して一体的に形成してもよい。
【００１４】
前述の止め具本体３は、図５にも示すように、例えばプラスチックや金属等の適度な復元力を有する材質によりベルトＢと略同一幅に形成された板材３ａの一端側を折り曲げて、携帯電話Ａに取付けた係止体２のネジ軸２ｂが係止される係止部４を形成し、その係止部４の折り返し側端部を、上述のネジ軸２ｂが差し込み側始端部から差し込み側終端部に向けて差し込みガイドされる形状（例えば側面から見て滑らかな曲面形状又は斜面形状）に形成し、携帯電話Ａを安定した姿勢（ベルトＢ及び止め具本体３と略平行する姿勢）に保持するのに必要な係止幅に形成している。また、係止部４を、止め具本体３の表面側中央部を切欠いて形成してもよい。
【００１５】
且つ、携帯電話Ａの遊端側（図中右側端部）を安定した状態に支持する支持部３ｂを、その遊端側裏面部と対向する板材３ａの遊端側端部に形成すると共に、支持部３ｂの支持面を、例えば側面から見て略円弧状や略半径形状等の滑らかな曲面形状に形成している。
【００１６】
且つ、図６、図７、図８にも示すように、係止部４に係止されたネジ軸２ｂを抜け止めする一対の突起５を、その係止部４の係止面と対向して、板材３ａの基端側中央部に形成した支持片６，６の表面側中央部に突設し、支持片６自体の復元力（材料弾性）により、係止部４に係止されたネジ軸２ｂを抜け止めする位置と、その抜け止めが解除される位置とに変位可能に設けると共に、ネジ軸２ｂが抜け止めされる位置に復帰する。加えて、係止部４の係止面と対向する支持片６の支持面を、上述のネジ軸２ｂが差し込み側始端部から差し込み側終端部に向けて差し込みガイドされる形状（例えば側面らか見て滑らかな斜面形状又は曲面形状）に形成している。
【００１７】
且つ、一対のレバー９を、止め具本体３の他端側両縁部に設けた枢支部８に対して回動自在に枢着し、支持片６の遊端側に形成したカム部７に対して当接される当接部１０をレバー９の略中間部に形成している。つまり、止め具本体３に保持された携帯電話Ａを片手で把持するとき、一対のレバー９を止め具本体３の両側縁部と対向する方向に把持して、レバー９自体の復元力（材料弾性）に抗して、そのレバー９を止め具本体３の側縁部に対して近接される状態に可撓する。当接部１０が支持片６のカム部７に当接し、突起５が、支持片６の復元力に抗して、ネジ軸２ｂの抜け止めが解除される位置に変位する。
【００１８】
一方、手による把持を解いて、レバー９の可撓を解除すると、当接部１０が支持片６のカム部７から離間し、突起５が、支持片６の復元力により、ネジ軸２ｂを抜け止めする位置に回動復帰する。
【００１９】
また、上述のレバー９を、止め具本体３の両側縁部に対して一体的に形成したり、一対の突起５を、何れか一方のレバー９により抜け止めが解除される方向に対して弾性変位自在に設ける等してもよい。また、突起５及びレバー９を、例えばコイルスプリングや渦巻きバネ、板バネ等の弾性部材の復元力により解除方向に対して復帰してもよい。
【００２０】
前述の止め具本体３の裏面側に取付けた取付け部１４は、図２にも示すように、側面から見て略上下逆Ｕ字状で、ベルトＢ外面に対して厚み方向に跨いだ状態に装着される大きさ及び形状に形成され、止め具本体３をベルトＢと略平行する状態に固定するのに適した装着幅に形成している。
【００２１】
且つ、取付け部１４の下端側を、ベルトＢよりも下方に突出する大きさ及び長さに形成すると共に、その下端側対向面に、該対向面を互いに対接した状態に固定する止め部材１５を上下方向に対して所定間隔に隔てて複数個取付けている。
【００２２】
また、取付け部１４を、ズボンの腰部とベルトＢとの間に対して差し込み固定される構造又は形状に形成したり、柔軟性を有する帯状の取付け部１４をベルトＢ外面に巻付け固定する等してもよい。実施例では、取付け部１４を、プラスチック（合成樹脂）で構成しているが、例えば軟質樹脂（ビニール）や皮、布、金属、木等の材質で構成することができる。
【００２３】
上述の止め部材１５は、互いに係止される凸状の雄部材１５ａと凹状の雌部材１５ｂとで構成され、携帯電話Ａを含む止め具本体３をベルトＢ上の定位置に装着固定するのに必要な係止力を有している。なお、上述の止め部材１５を、例えば１個又は２個以上取付けてもよい。また、止め部材１５の代わりに、例えば面ファスナーやマグネット、両面粘着テープ等を用いてもよい。
【００２４】
加えて、携帯電話Ａが取付けられた止め具本体３を定位置に固定するのに必要な接触抵抗を有する滑り止め部材（図示省略）を、取付け部の内側対向面及びベルトＢの外面に装着したり、そのベルトＢを取付け部１４により厚み方向に挟持する等して定位置に固定してもよい。
【００２５】
加えて、携帯電話Ａと対向する止め具本体３の表面側に、例えば合成ゴムや軟質樹脂、布地、毛等の柔軟性を有する緩衝部材を装着して、着脱時において、携帯電話Ａが傷付いたり、位置が変位したりするのを防止してもよい。
【００２６】
図示実施例は上記の如く構成するものにして、以下、止め具１による携帯電話Ａの保持方法を説明する。
【００２７】
先ず、止め具１を、利用者が装着するズボン（図示省略）のベルトＢに装着する場合、図１、図２、図３に示すように、止め具１の取付け部１４を、ズボンの腰部に巻き付けられたベルトＢに対して上方から装着し、そのベルトＢよりも下方に突出する部分に取付けられた上側止め部材１５の雄部材１５ａ及び雌部材１５ｂを互いに係止固定する。また、ベルトＢの幅が広い場合、下側止め部材１５の雄部材１５ａ及び雌部材１５ｂを互いに係止固定する。
【００２８】
次に、携帯電話Ａを止め具１で保持する場合、図４乃至図７に示すように、携帯電話Ａに取付けられた係止体２のネジ軸２ｂを、止め具本体３の係止部４に対して差し込み固定する。つまり、係止体２のネジ軸２ｂを、係止部４の滑らかな係止面及び突起５，５の傾斜する支持面に当接すると共に、その当接部分に生じる反力により、突起５，５を、支持片６，６の復元力に抗して、ネジ軸２ｂに対する係止が解除される位置に押し戻しながら、係止部４の湾曲部に対して当接する位置まで深く差し込む。
【００２９】
同時に、突起５，５が、支持片６，６の復元力により、係止体２のネジ軸２ｂに対して係止される状態に復帰し、ネジ軸２ｂを係止部４に差し込まれた状態に抜け止めする。且つ、止め具本体３の係止部４を、携帯電話Ａの基端側裏面部に当接し、止め具本体３の支持部３ｂを、携帯電話Ａの遊端側裏面部に当接して、携帯電話Ａを安定した状態に保持する。
【００３０】
次に、携帯電話Ａを止め具１から分離する場合、一対のレバー９を、止め具本体３に保持された携帯電話Ａを把持する手で操作し、レバー９の当接部１０を、支持片６のカム部７に対して略同時に当接する。つまり、図８に示すように、一対の突起５を、支持片６の復元力に抗して、係止体２のネジ軸２ｂに対する係止が解除される位置に変位して抜け止め解除した後、片手で保持した携帯電話Ａを抜き取り方向に移動させながら、係止体２のネジ軸２ｂを、止め具本体３の係止部４から抜き取り、携帯電話Ａを止め具１から分離するので、携帯電話Ａの着脱が片手で行える。
【００３１】
また、例えば手や持ち物等が一方の突起５又はレバー９に接触する等して、一方の突起５によるネジ軸２ｂの抜け止めが不測に解除されても、他方の突起５によりネジ軸２ｂが抜け止めされているため、携帯電話Ａの保持状態を維持することができる。
【００３２】
以上のように、携帯電話Ａ側に取付けられた係止体２のネジ軸２ｂを、利用者のベルトＢに装着された止め具本体３の係止部４に差し込み、一対の突起５を係止部４に差し込まれたネジ軸２ｂに係止して抜け止めするので、携帯電話Ａを確実に保持することができる。且つ、一対のレバー９を、携帯電話Ａを把持する手で解除操作しながら、その携帯電話Ａを係止体２のネジ軸２ｂが止め具本体３の係止部４から抜き取られる方向に移動させて分離するので、様々なサイズを有する携帯電話Ａの保持及び着脱が簡単且つ容易に行え、必要時に即取外して使用することができる。
【００３３】
且つ、例えば手や持ち物等が何れか一方の突起５又はレバー９に接触することがあっても、他方の突起５が係止部４に差し込まれた係止体２のネジ軸２ｂに対して係止されているので、一対のレバー９を略同時に把持操作しないかぎり、一対の突起５による抜け止めが解除されず、携帯電話Ａが不測に脱落するのを防止することができる。
【００３４】
且つ、携帯電話Ａを、アンテナ部Ａａが左向き又は右向きとなる姿勢に反転しても、係止体２のネジ軸２ｂが止め具本体３の係止部４に対して左右何れの方向からでも差し込み許容されるため、携帯電話Ａの保持方向が限定されず、左向き又は右向きに保持することができる。
【００３５】
図９、図１０は、止め具１の他の例を示し、係止部４の両側前端部に突設した軸部４ａ，４ａを、レバー９の略中央部に連設した支持片９ａの孔部９ｂ，９ｂに係止し、突起５の前端部に突設した軸部５ａを、支持片９ａの略中央部に対して斜設したガイド孔９ｃに係止している。
【００３６】
つまり、携帯電話Ａに取付けられた係止体２のネジ軸２ｂを、止め具本体３の係止部４に差し込むとき、その突起５を、支持片６の復元力に抗して、ネジ軸２ｂに対する係止が解除される位置に一旦変位させ、ネジ軸２ｂを係止部４の湾曲部に対して当接する位置まで差し込む。同時に、突起５が、支持片６の復元力により、ネジ軸２ｂに対して係止される状態に復帰して抜け止めし、携帯電話Ａを安定した状態に保持する。
【００３７】
一方、止め具本体３に保持された携帯電話Ａを片手で保持すると共に、レバー９を片手で把持操作して、突起５の軸部５ａを、支持片９ａのガイド孔９ｃに沿って移動させ、突起５を、支持片６の復元力に抗して、係止体２のネジ軸２ｂに対する係止が解除される位置に変位して抜け止め解除した後、片手で保持した携帯電話Ａを抜き取り方向に移動させ、係止体２のネジ軸２ｂを、止め具本体３の係止部４から抜き取り、携帯電話Ａを止め具１から分離するので、上述の実施例と略同等の作用及び効果を奏することができる。また、レバー９を、止め具本体３の一側縁部に対して一体的に形成してもよい。
【００３８】
図１１は、止め具１のその他の例を示し、ベルトＢの一端側に取付けた係止体２のネジ軸２ｂを、ベルトＢの他端側に取付けた止め具本体３の係止部４に差し込んで、一対の突起５を、係止体２のネジ軸２ｂに係止して抜け止めするので、係止体２をベルトＢ全長に対して所定間隔に隔てて取付けておけば、使用者の腰サイズに応じて調節することができ、ベルトＢの長さを調節するためのバックルとして用いることができる。
【００３９】
この発明は、上述の実施例の構成のみに限定されるものではなく、本発明の止め具１の構成は、例えば二つ折りタイプの携帯電話Ａや情報端末を保持するのにも適用することができる。
【図面の簡単な説明】
【図１】止め具を示す正面図。
【図２】ベルトに装着された止め具を示す側面図。
【図３】取付け部が取り除かれた止め具を示す平面図。
【図４】係止体の取付け状態を示す斜視図。
【図５】取付け部が取り除かれた止め具本体を示す斜視図。
【図６】係止体の抜け止め状態を示す断面図。
【図７】係止体の差し込み状態及び抜き取り状態を示す側面図。
【図８】係止体の抜け止め解除状態を示す断面図。
【図９】止め具の他の例を示す正面図。
【図１０】係止体の差し込み状態及び抜き取り状態を示す断面図。
【図１１】止め具のその他の例を示す正面図。
【符号の説明】
Ａ…携帯電話
Ｂ…ベルト
１…止め具
２…係止体
２ａ…係止片
２ｂ…ネジ軸
３…止め具本体
４…係止部
５…突起
５ａ…軸部
６…支持片
７…カム部
９…レバー
９ｃ…ガイド孔
１０…当接部
１４…取付け部
１５…止め部材
【図１】
2004024278.tif 000003
【図２】
2004024278.tif 000004
【図３】
2004024278.tif 000005
【図４】
2004024278.tif 000006
【図５】
2004024278.tif 000007
【図６】
2004024278.tif 000008
【図７】
2004024278.tif 000009
【図８】
2004024278.tif 000010
【図９】
2004024278.tif 000011
【図１０】
2004024278.tif 000012
【図１１】
2004024278.tif 000013
【手続補正書】
【提出日】平成15年1月24日(2003.1.24)
【手続補正１】
【補正対象書類名】明細書
【補正対象項目名】全文
【補正方法】変更
【補正の内容】
【発明の詳細な説明】
【特許請求の範囲】
【請求項１】一方の取付け物側に設けた係止体が係止される係止部を、他方の取付け物側に取付けられる止め具本体に設け、
上記係止体に対して係止される突起を、該係止部に差し込まれる係止体と対向して止め具本体に設け、
上記係止体に係止された突起を、該係止体に対する係止が解除される状態に変位する係止解除手段を止め具本体に設けると共に、
上記係止解除手段を、上記一方の取付け物を把持する手で操作可能に設けた
止め具。
【請求項２】上記突起を、上記係止体の差し込み方向と略平行して一対設け、
上記係止解除手段を、上記各突起と略対応して一対設けた
請求項１記載の止め具。
【請求項３】上記係止体を、上記取付け物の両側縁部に対して係止される一対の支持片と、該一対の支持片を取付け物の両側縁部に対して係止される間隔に拡縮調節する間隔調節手段とで構成した
請求項１記載の止め具。
【請求項４】上記止め具本体の裏面側に、上記他方の取付け物外面に対して一側から装着される取付け部を設け、
上記取付け物の他側に突出される取付け部の対向面に、該対向面を互いに固定する固定部材を設けた
請求項１記載の止め具。
【発明の詳細な説明】
【０００１】
【発明の属する技術分野】
この発明は、例えば携帯電話やモバイルコンピュータなどの情報携帯端末、ＣＤやＭＤのプレーヤー、テープレコーダ、通信機器、工具等の取付け物を保持したり、或いは、ベルトや紐等の帯状物を所望する長さに調節するのに用いられる止め具に関する。
【０００２】
【従来の技術】
従来、上述の止め具としては、例えばケースの開口部を閉塞する蓋を開放して、携帯電話をケースに収納した後、背面と蓋との対向面を係止部で固定すると共に、表面と背面とを、両側面の復元力により携帯電話の表裏両面に押し付け、底面と蓋とを、両側面の復元力により携帯電話の上下端部に押し付けて、携帯電話をケースに収納された状態に保持する携帯用ケース（特開平９−２７６０２２号公報）と、
ケース１の挿入口を閉塞する蓋を開放して、携帯電話をケースに収納した後、蓋の遊端側に取付けた掛け具を、ケース表面に取付けた留め具に係止して、携帯電話をケースに収納された状態に保持する携帯電話ホルダー（実用新案登録第３０３２３２０号公報）とがある。
【０００３】
【発明が解決しようとする課題】
しかし、前者の携帯用ケースは、係止部による係止を解除して、蓋を開放した後、携帯電話をケースに対して出し入れしなれければならず、蓋を開閉する作業が煩わしく、携帯電話を出し入れするのに手間及び時間が掛かる。且つ、蓋を閉塞しなければ、携帯電話を長さ方向に対して保持するのに必要な両側面の復元力が得られない。また、携帯電話のアンテナが挿通されるアンテナ孔を、蓋の特定部分に１箇所開口しているので、携帯電話を上下逆向き又は表裏逆向きにしてケースに収納した場合、携帯電話のアンテナと、蓋のアンテナ穴とが一致せず、ケースの開口部を蓋で閉塞することができない。且つ、蓋を両側面の復元力に抗して閉塞すると、携帯電話がケースに対して斜め横向きに収納されてしまい、キー操作が困難となるため、特定機種の携帯電話のみに用途が限定される。
【０００４】
一方、後者の携帯電話ホルダーは、掛け具と留め具との係止を解除して、蓋を開放した後、携帯電話をケースに対して出し入れしなければならず、蓋を開閉する作業が煩わしく、携帯電話を出し入れするのに手間及び時間が掛かる。また、ケース全長よりも携帯電話が短いと、携帯電話全体がケースに没入してしまい、携帯電話が長いと、ケースの挿入口から突出するため、挿入口を蓋で閉塞することが不可である。
【０００５】
この発明は上記問題に鑑み、係止解除手段を、取付け物を把持する手で解除操作しながら、該取付け物を係止体が係止部から抜き取られる方向に移動させて分離するので、取付け物の着脱が簡単且つ容易に行えると共に、安定した姿勢に保持することができる止め具の提供を目的とする。
【０００６】
【課題を解決するための手段】
この発明は、一方の取付け物側に設けた係止体が係止される係止部を、他方の取付け物側に取付けられる止め具本体に設け、上記係止体に対して係止される突起を、該係止部に差し込まれる係止体と対向して止め具本体に設け、上記係止体に係止された突起を、該係止体に対する係止が解除される状態に変位する係止解除手段を止め具本体に設けると共に、上記係止解除手段を、上記一方の取付け物を把持する手で操作可能に設けた止め具であることを特徴とする。
【０００７】
上述の取付け物は、例えば携帯電話やモバイルコンピュータなどの情報携帯端末、ＣＤ用やＭＤ用のプレーヤー、テープレコーダ、通信機器、工具等の物品と、ズボンやスカートのベルト（又はバンド）、ベルト挿通部、サスペンダー、鞄やリュックのベルト、紐等の帯状物とで構成することができる。また、係止解除手段は、例えばレバー及びカム、当接部、軸部、ガイド孔等で構成することができる。
【０００８】
つまり、取付け物側の係止体を止め具本体の係止部に差し込み、突起を係止体に係止して抜け止めし、取付け物を安定した姿勢に保持する。一方、係止解除手段（例えばレバー及びカム、当接部等）を、取付け物を把持する手で解除操作し、突起を係止体に対する係止が解除される状態に変位させながら、手で把持した取付け物を分離方向に移動させて、係止体を係止部から抜き取り、取付け物を止め具本体から分離する。
【０００９】
実施の形態として、上記突起を、上記係止体の差し込み方向と略平行して一対設け、上記係止解除手段を、上記各突起と略対応して一対設けることができる。また、上記係止体を、上記取付け物の両側縁部に対して係止される一対の支持片と、該一対の支持片を取付け物の両側縁部に対して係止される間隔に拡縮調節する間隔調節手段（例えばネジ軸の回動操作や弾性体の復元力等）とで構成することができる。また、上記止め具本体の裏面側に、上記他方の取付け物外面に対して一側から装着される取付け部を設け、上記取付け物の他側に突出される取付け部の対向面に、該対向面を互いに固定する固定部材（例えばホック方の止め部材、面ファスナー、マグネット、両面粘着テープ等）を設けることができる。或いは、取付け部を、他方の取付け物（例えばベルト）の表面側に対して掛け渡した状態に係止される止め部材と、その止め部材に対して枢着され、取付け物の裏面側に対して掛け渡した状態に係止される係止ピンとで構成することもできる。
【００１０】
【作用及び効果】
この発明によれば、一方の取付け物側に設けた係止体を、他方の取付け物側に取付けた止め具本体の係止部に差し込み、止め具本体の突起を係止体に係止して抜け止めするので、取付け物をワンタッチで確実に保持することができる。且つ、係止解除手段を、一方の取付け物を把持する手で解除操作しながら、その取付け物を係止体が係止部から抜き取られる方向に移動させて分離するので、取付け物の着脱が簡単且つ容易に行え、必要時に即取外して使用することができる。
【００１１】
【実施例】
この発明の一実施例を以下図面に基づいて詳述する。
図面は、取付け物の一例である携帯電話を保持するときに用いられる止め具を示し、図１乃至図３において、この止め具１は、携帯電話Ａに装着される係止体２と、利用者が装着するズボン（図示省略）のベルトＢに対して装着される止め具本体３とで構成される。
【００１２】
上述の係止体２は、図４にも示すように、携帯電話Ａの両側縁部に対して幅方向に係止される一対の係止片２ａと、その係止片２ａ，２ａの間隔を、携帯電話Ａの横幅と略対応する間隔に拡縮調節するネジ軸２ｂとで構成される。つまり、ネジ軸２ｂを、回動操作具（図示省略）により正逆回動して、一対の係止片２ａを、携帯電話Ａの両側縁部に対して押し付けられる間隔に近接して幅方向に挟持し、そのネジ軸２ｂと携帯電話Ａとの対向面間に、後述する係止部４の差し込み及び抜き取りが許容される空間を形成する。且つ、係止片２ａの保持面に、例えば合成ゴムや軟質樹脂等の柔軟性を有する滑り止め部材を装着している。
【００１３】
また、一対の係止片２ａを、例えば合成ゴムやスプリング等の復元力を有する弾性体により、携帯電話Ａの両側縁部に対して押し付けられる方向に付勢してもよい。加えて、上述の係止体２と略酷似する係止凸部又は係止凹部を、携帯電話Ａの裏面側に対して一体的に形成してもよい。
【００１４】
前述の止め具本体３は、図５にも示すように、例えばプラスチックや金属等の適度な復元力を有する材質によりベルトＢと略同一幅に形成された板材３ａの一端側を折り曲げて、携帯電話Ａに取付けた係止体２のネジ軸２ｂが係止される係止部４を形成し、その係止部４の折り返し側端部を、上述のネジ軸２ｂが差し込み側始端部から差し込み側終端部に向けて差し込みガイドされる形状（例えば側面から見て滑らかな曲面形状又は斜面形状）に形成し、携帯電話Ａを安定した姿勢（ベルトＢ及び止め具本体３と略平行する姿勢）に保持するのに必要な係止幅に形成している。また、係止部４を、止め具本体３の表面側中央部を切欠いて形成してもよい。
【００１５】
且つ、携帯電話Ａの遊端側（図中右側端部）を安定した状態に支持する支持部３ｂを、その遊端側裏面部と対向する板材３ａの遊端側端部に形成すると共に、支持部３ｂの支持面を、例えば側面から見て略円弧状や略半径形状等の滑らかな曲面形状に形成している。
【００１６】
且つ、図６、図７、図８にも示すように、係止部４に係止されたネジ軸２ｂを抜け止めする一対の突起５を、その係止部４の係止面と対向して、板材３ａの基端側中央部に形成した支持片６，６の表面側中央部に突設し、支持片６自体の復元力（材料弾性）により、係止部４に係止されたネジ軸２ｂを抜け止めする位置と、その抜け止めが解除される位置とに変位可能に設けると共に、ネジ軸２ｂが抜け止めされる位置に復帰する。加えて、係止部４の係止面と対向する支持片６の支持面を、上述のネジ軸２ｂが差し込み側始端部から差し込み側終端部に向けて差し込みガイドされる形状（例えば側面らか見て滑らかな斜面形状又は曲面形状）に形成している。
【００１７】
且つ、一対のレバー９を、止め具本体３の他端側両縁部に設けた枢支部８に対して回動自在に枢着し、支持片６の遊端側に形成したカム部７に対して当接される当接部１０をレバー９の略中間部に形成している。つまり、止め具本体３に保持された携帯電話Ａを片手で把持するとき、一対のレバー９を止め具本体３の両側縁部と対向する方向に把持して、レバー９自体の復元力（材料弾性）に抗して、そのレバー９を止め具本体３の側縁部に対して近接される状態に可撓する。当接部１０が支持片６のカム部７に当接し、突起５が、支持片６の復元力に抗して、ネジ軸２ｂの抜け止めが解除される位置に変位する。
【００１８】
一方、手による把持を解いて、レバー９の可撓を解除すると、当接部１０が支持片６のカム部７から離間し、突起５が、支持片６の復元力により、ネジ軸２ｂを抜け止めする位置に回動復帰する。
【００１９】
また、上述のレバー９を、止め具本体３の両側縁部に対して一体的に形成したり、一対の突起５を、何れか一方のレバー９により抜け止めが解除される方向に対して弾性変位自在に設ける等してもよい。また、突起５及びレバー９を、例えばコイルスプリングや渦巻きバネ、板バネ等の弾性部材の復元力により解除方向に対して復帰してもよい。
【００２０】
前述の止め具本体３の裏面側に取付けた取付け部１４は、図２にも示すように、側面から見て略上下逆Ｕ字状で、ベルトＢ外面に対して厚み方向に跨いだ状態に装着される大きさ及び形状に形成され、止め具本体３をベルトＢと略平行する状態に固定するのに適した装着幅に形成している。
【００２１】
且つ、取付け部１４の下端側を、ベルトＢよりも下方に突出する大きさ及び長さに形成すると共に、その下端側対向面に、該対向面を互いに対接した状態に固定する止め部材１５を上下方向に対して所定間隔に隔てて複数個取付けている。
【００２２】
また、取付け部１４を、ズボンの腰部とベルトＢとの間に対して差し込み固定される構造又は形状に形成したり、柔軟性を有する帯状の取付け部１４をベルトＢ外面に巻付け固定する等してもよい。実施例では、取付け部１４を、プラスチック（合成樹脂）で構成しているが、例えば軟質樹脂（ビニール）や皮、布、金属、木等の材質で構成することができる。
【００２３】
上述の止め部材１５は、互いに係止される凸状の雄部材１５ａと凹状の雌部材１５ｂとで構成され、携帯電話Ａを含む止め具本体３をベルトＢ上の定位置に装着固定するのに必要な係止力を有している。なお、上述の止め部材１５を、例えば１個又は２個以上取付けてもよい。また、止め部材１５の代わりに、例えば面ファスナーやマグネット、両面粘着テープ等を用いてもよい。
【００２４】
加えて、携帯電話Ａが取付けられた止め具本体３を定位置に固定するのに必要な接触抵抗を有する滑り止め部材（図示省略）を、取付け部の内側対向面及びベルトＢの外面に装着したり、そのベルトＢを取付け部１４により厚み方向に挟持する等して定位置に固定してもよい。
【００２５】
加えて、携帯電話Ａと対向する止め具本体３の表面側に、例えば合成ゴムや軟質樹脂、布地、毛等の柔軟性を有する緩衝部材を装着して、着脱時において、携帯電話Ａが傷付いたり、位置が変位したりするのを防止してもよい。
【００２６】
図示実施例は上記の如く構成するものにして、以下、止め具１による携帯電話Ａの保持方法を説明する。
【００２７】
先ず、止め具１を、利用者が装着するズボン（図示省略）のベルトＢに装着する場合、図１、図２、図３に示すように、止め具１の取付け部１４を、ズボンの腰部に巻き付けられたベルトＢに対して上方から装着し、そのベルトＢよりも下方に突出する部分に取付けられた上側止め部材１５の雄部材１５ａ及び雌部材１５ｂを互いに係止固定する。また、ベルトＢの幅が広い場合、下側止め部材１５の雄部材１５ａ及び雌部材１５ｂを互いに係止固定する。
【００２８】
次に、携帯電話Ａを止め具１で保持する場合、図４乃至図７に示すように、携帯電話Ａに取付けられた係止体２のネジ軸２ｂを、止め具本体３の係止部４に対して差し込み固定する。つまり、係止体２のネジ軸２ｂを、係止部４の滑らかな係止面及び突起５，５の傾斜する支持面に当接すると共に、その当接部分に生じる反力により、突起５，５を、支持片６，６の復元力に抗して、ネジ軸２ｂに対する係止が解除される位置に押し戻しながら、係止部４の湾曲部に対して当接する位置まで深く差し込む。
【００２９】
同時に、突起５，５が、支持片６，６の復元力により、係止体２のネジ軸２ｂに対して係止される状態に復帰し、ネジ軸２ｂを係止部４に差し込まれた状態に抜け止めする。且つ、止め具本体３の係止部４を、携帯電話Ａの基端側裏面部に当接し、止め具本体３の支持部３ｂを、携帯電話Ａの遊端側裏面部に当接して、携帯電話Ａを安定した状態に保持する。
【００３０】
次に、携帯電話Ａを止め具１から分離する場合、一対のレバー９を、止め具本体３に保持された携帯電話Ａを把持する手で操作し、レバー９の当接部１０を、支持片６のカム部７に対して略同時に当接する。つまり、図８に示すように、一対の突起５を、支持片６の復元力に抗して、係止体２のネジ軸２ｂに対する係止が解除される位置に変位して抜け止め解除した後、片手で保持した携帯電話Ａを抜き取り方向に移動させながら、係止体２のネジ軸２ｂを、止め具本体３の係止部４から抜き取り、携帯電話Ａを止め具１から分離するので、携帯電話Ａの着脱が片手で行える。
【００３１】
また、例えば手や持ち物等が一方の突起５又はレバー９に接触する等して、一方の突起５によるネジ軸２ｂの抜け止めが不測に解除されても、他方の突起５によりネジ軸２ｂが抜け止めされているため、携帯電話Ａの保持状態を維持することができる。
【００３２】
以上のように、携帯電話Ａ側に取付けられた係止体２のネジ軸２ｂを、利用者のベルトＢに装着された止め具本体３の係止部４に差し込み、一対の突起５を係止部４に差し込まれたネジ軸２ｂに係止して抜け止めするので、携帯電話Ａを確実に保持することができる。且つ、一対のレバー９を、携帯電話Ａを把持する手で解除操作しながら、その携帯電話Ａを係止体２のネジ軸２ｂが止め具本体３の係止部４から抜き取られる方向に移動させて分離するので、様々なサイズを有する携帯電話Ａの保持及び着脱が簡単且つ容易に行え、必要時に即取外して使用することができる。
【００３３】
且つ、例えば手や持ち物等が何れか一方の突起５又はレバー９に接触することがあっても、他方の突起５が係止部４に差し込まれた係止体２のネジ軸２ｂに対して係止されているので、一対のレバー９を略同時に把持操作しないかぎり、一対の突起５による抜け止めが解除されず、携帯電話Ａが不測に脱落するのを防止することができる。
【００３４】
且つ、携帯電話Ａを、アンテナ部Ａａが左向き又は右向きとなる姿勢に反転しても、係止体２のネジ軸２ｂが止め具本体３の係止部４に対して左右何れの方向からでも差し込み許容されるため、携帯電話Ａの保持方向が限定されず、左向き又は右向きに保持することができる。
【００３５】
図９、図１０は、止め具１の他の例を示し、係止部４の両側前端部に突設した軸部４ａ，４ａを、レバー９の略中央部に連設した支持片９ａの孔部９ｂ，９ｂに係止し、突起５の前端部に突設した軸部５ａを、支持片９ａの略中央部に対して斜設したガイド孔９ｃに係止している。
【００３６】
つまり、携帯電話Ａに取付けられた係止体２のネジ軸２ｂを、止め具本体３の係止部４に差し込むとき、その突起５を、支持片６の復元力に抗して、ネジ軸２ｂに対する係止が解除される位置に一旦変位させ、ネジ軸２ｂを係止部４の湾曲部に対して当接する位置まで差し込む。同時に、突起５が、支持片６の復元力により、ネジ軸２ｂに対して係止される状態に復帰して抜け止めし、携帯電話Ａを安定した状態に保持する。
【００３７】
一方、止め具本体３に保持された携帯電話Ａを片手で保持すると共に、レバー９を片手で把持操作して、突起５の軸部５ａを、支持片９ａのガイド孔９ｃに沿って移動させ、突起５を、支持片６の復元力に抗して、係止体２のネジ軸２ｂに対する係止が解除される位置に変位して抜け止め解除した後、片手で保持した携帯電話Ａを抜き取り方向に移動させ、係止体２のネジ軸２ｂを、止め具本体３の係止部４から抜き取り、携帯電話Ａを止め具１から分離するので、上述の実施例と略同等の作用及び効果を奏することができる。また、レバー９を、止め具本体３の一側縁部に対して一体的に形成してもよい。
【００３８】
図１１は、止め具１のその他の例を示し、ベルトＢの一端側に取付けた係止体２のネジ軸２ｂを、ベルトＢの他端側に取付けた止め具本体３の係止部４に差し込んで、一対の突起５を、係止体２のネジ軸２ｂに係止して抜け止めするので、係止体２をベルトＢ全長に対して所定間隔に隔てて取付けておけば、使用者の腰サイズに応じて調節することができ、ベルトＢの長さを調節するためのバックルとして用いることができる。
【００３９】
この発明は、上述の実施例の構成のみに限定されるものではなく、本発明の止め具１の構成は、例えば二つ折りタイプの携帯電話Ａや情報端末を保持するのにも適用することができる。
【図面の簡単な説明】
【図１】止め具を示す正面図。
【図２】ベルトに装着された止め具を示す側面図。
【図３】取付け部が取り除かれた止め具を示す平面図。
【図４】係止体の取付け状態を示す斜視図。
【図５】取付け部が取り除かれた止め具本体を示す斜視図。
【図６】係止体の抜け止め状態を示す断面図。
【図７】係止体の差し込み状態及び抜き取り状態を示す側面図。
【図８】係止体の抜け止め解除状態を示す断面図。
【図９】止め具の他の例を示す正面図。
【図１０】係止体の差し込み状態及び抜き取り状態を示す断面図。
【図１１】止め具のその他の例を示す正面図。
【符号の説明】
Ａ…携帯電話
Ｂ…ベルト
１…止め具
２…係止体
２ａ…係止片
２ｂ…ネジ軸
３…止め具本体
４…係止部
５…突起
５ａ…軸部
６…支持片
７…カム部
９…レバー
９ｃ…ガイド孔
１０…当接部
１４…取付け部
１５…止め部材